(57)【要約】【課題】電源コードを介して外部電源に接続される本体装置において消費される電力をより削減することが可能な投写型映像表示装置、及び電子機器を提供する。【解決手段】電子機器である投写型映像表示装置１は、光を投射して映像を表示する本体装置２と、本体装置２の動作を外部から操作する遠隔操作機器３とを備え、本体装置２が、電源コード５を介して接続された外部電源４から供給される電力により動作する電力消費部を備える。遠隔操作機器３は、ワイヤレスで送電するワイヤレス送電部を有するとともに、本体装置２は、ワイヤレス送電部による給電を受電するワイヤレス受電部を有する。そして、本体装置２は、外部電源４から電力消費部への電力供給を制御するリレーを備え、このリレーが、ワイヤレス受電部で受電した電力を用いて、外部電源４と電力消費部とを電気的に接続する。【選択図】図１
2013130828.tif 000002
【特許請求の範囲】
【請求項１】
光を投射して映像を表示する本体装置と、この本体装置の動作を外部から操作する遠隔操作機器とを備え、前記本体装置が、電源コードを介して接続された外部電源から供給される電力により動作する電力消費部を備える投写型映像表示装置において、
前記遠隔操作機器は、ワイヤレスで送電するワイヤレス送電部を有するとともに、前記本体装置は、前記ワイヤレス送電部から送られた電力を受電するワイヤレス受電部を有し、
前記本体装置は、前記外部電源から前記電力消費部への電力供給を制御するリレーを備え、このリレーが、前記ワイヤレス受電部で受電した電力を用いて、前記外部電源と前記電力消費部とを電気的に接続する
ことを特徴とする投写型映像表示装置。
【請求項２】
前記本体装置は、前記リレーにより前記外部電源と電気的に接続される電源部を備え、
前記リレーは、前記ワイヤレス受電部で受電した電力を用いて前記外部電源と前記電力消費部とを電気的に接続した後に、前記電源部から供給される電力を用いて前記外部電源と前記電力消費部との電気的な接続を維持する
ことを特徴とする請求項１に記載の投写型映像表示装置。
【請求項３】
前記本体装置は、前記ワイヤレス受電部で受電した電力を蓄電する蓄電部と、所定の電力が前記蓄電部に蓄電されたときに前記リレーへの給電を開始するスイッチとを備える
ことを特徴とする請求項１または２に記載の投写型映像表示装置。
【請求項４】
前記ワイヤレス送電部は、電力を電波として送信する送電アンテナを有するとともに、前記ワイヤレス受電部は、前記送電アンテナから送られた電波を受信する受電アンテナを有する
ことを特徴とする請求項１〜３のいずれか一項に記載の投写型映像表示装置。
【請求項５】
所定の動作を行う本体装置と、この本体装置の動作を外部から操作する遠隔操作機器とを備え、前記本体装置が、電源コードを介して接続された外部電源から供給される電力により動作する電力消費部を備える投写型映像表示装置において、
前記遠隔操作機器は、ワイヤレスで送電するワイヤレス送電部を有するとともに、前記本体装置は、前記ワイヤレス送電部から送られた電力を受電するワイヤレス受電部を有し、
前記本体装置は、前記外部電源から前記電力消費部への電力供給を制御するリレーを備え、このリレーが、前記ワイヤレス受電部で受電した電力を用いて、前記外部電源と前記電力消費部とを電気的に接続する
ことを特徴とする電子機器。
【請求項６】
前記本体装置は、前記リレーにより前記外部電源と電気的に接続される電源部を備え、
前記リレーは、前記ワイヤレス受電部で受電した電力を用いて前記外部電源と前記電力消費部とを電気的に接続した後に、前記電源部から供給される電力を用いて前記外部電源と前記電力消費部との電気的な接続を維持する
ことを特徴とする請求項５に記載の電子機器。
【請求項７】
前記本体装置は、前記ワイヤレス受電部で受電した電力を蓄電する蓄電部と、所定の電力が前記蓄電部に蓄電されたときに前記リレーへの給電を開始するスイッチとを備える
ことを特徴とする請求項５または６に記載の電子機器。
【請求項８】
前記ワイヤレス送電部は、電力を電波として送信する送電アンテナを有するとともに、前記ワイヤレス受電部は、前記送電アンテナから送られた電波を受信する受電アンテナを有する
ことを特徴とする請求項５〜７のいずれか一項に記載の電子機器。
【発明の詳細な説明】
【技術分野】
【０００１】
本発明は、本体装置が電源コードを介して接続された外部電源から供給される電力により動作する電力消費部を備える投写型映像表示装置、及び電子機器に関する。
【背景技術】
【０００２】
一般的に、電子機器は、所定の動作を実行する本体装置と、本体装置の動作を外部から操作する遠隔操作機器とを備え、本体装置は、電源コードを介して接続された外部電源から供給される電力により動作する電力消費部を備える。
【０００３】
ところで、電力消費部において消費される電力を削減するために、例えば、主電源部と待機電源部とを本体装置が備え、主電源部に対する電力の供給を待機電源部が遮断する電子機器が知られている（例えば特許文献１参照）。
【０００４】
特許文献１には、電子機器として、所定の運転を行う主制御部と、主制御部へ電力供給を行う主電源部としての主電源ユニットと、待機状態における制御を行う待機制御部と、待機制御部への電力供給を行う待機電源部としての待機電源ユニットとを備える投写型映像表示装置が記載されている。主制御部及び待機制御部は、電力消費部であって、待機電源ユニットは、待機状態において主電源ユニットに対する商用電源の供給を遮断する。
【先行技術文献】
【特許文献】
【０００５】
【特許文献１】特開２０１１−８５７６３号公報
【発明の概要】
【発明が解決しようとする課題】
【０００６】
しかし、特許文献１に記載の構成においては、主制御部において消費される電力を削減することができるものの、電力消費部である待機制御部において消費される電力を削減することはできないため、消費される電力を十分に削減できないという問題がある。
【０００７】
本発明は、上記課題を解決するため、電源コードを介して外部電源に接続される本体装置において消費される電力をより削減することが可能な投写型映像表示装置、及び電子機器を提供することを目的とする。
【課題を解決するための手段】
【０００８】
上記目的を達成するため、請求項１または５に記載の発明は、本体装置と、この本体装置の動作を外部から操作する遠隔操作機器とを備え、前記本体装置が、電源コードを介して接続された外部電源から供給される電力により動作する電力消費部を備え、前記遠隔操作機器は、ワイヤレスで送電するワイヤレス送電部を有するとともに、前記本体装置は、前記ワイヤレス送電部から送られた電力を受電するワイヤレス受電部を有し、前記本体装置は、前記外部電源から前記電力消費部への電力供給を制御するリレーを備え、このリレーが、前記ワイヤレス受電部で受電した電力を用いて、前記外部電源と前記電力消費部とを電気的に接続することを特徴とする。
【０００９】
上記発明によれば、外部電源から電力消費部への電力供給はリレーにより制御されるため、リレーが外部電源と電力消費部との電気的な接続を遮断することにより、電力消費部において消費される電力は削減される。よって、外部電源と電力消費部との間にリレーが設けられていない場合に比べて、本体装置で消費される電力を削減することが可能である。また、外部電源と電力消費部とを電気的に接続するためにリレーに必要とされる電力は、遠隔操作機器のワイヤレス送電部から送られた電力が利用される。このため、外部電源からリレーに給電する構成と比較して、外部電源と電力消費部とを電気的に接続するまでリレーが待機している待機時において、本体装置で消費される電力を削減することが可能である。よって、電源コードを介して外部電源に接続される本体装置において消費される電力をより削減することが可能である。
【００１０】
請求項２または６に記載の発明は、前記本体装置が、前記リレーにより前記外部電源と電気的に接続される電源部を備え、前記リレーが、前記ワイヤレス受電部で受電した電力を用いて前記外部電源と前記電力消費部とを電気的に接続した後に、前記電源部から供給される電力を用いて前記外部電源と前記電力消費部との電気的な接続を維持することを特徴とする。
【００１１】
上記発明によれば、ワイヤレス受電部で受電した電力に代えて、本体装置が備える電源部から供給される電力を利用して、外部電源と電力消費部との電気的な接続が維持される。このため、遠隔操作機器からの給電が停止した場合であっても、外部電源と電力消費部との電気的な接続を維持することができる。また、電源部は、上記リレーにより外部電源と電気的に接続されるため、外部電源と電力消費部とを電気的に接続するまでリレーが待機している待機時において、電源部で電力が消費されないようにすることができる。
【００１２】
請求項３または７に記載の発明は、前記本体装置が、前記ワイヤレス受電部で受電した電力を蓄電する蓄電部と、所定の電力が前記蓄電部に蓄電されたときに前記リレーへの給電を開始するスイッチとを備えることを特徴とする。
【００１３】
上記発明によれば、蓄電部に、外部電源と電力消費部とを電気的に接続するためにリレーに必要とされる電力が蓄電された後に、蓄電部からリレーに給電を開始することができる。このため、所定時間当たりに遠隔操作機器から給電される電力量が小さい場合であっても、遠隔操作機器のワイヤレス送電部から送られた電力を利用して、外部電源と電力消費部とをリレーにより電気的に接続することができる。
【００１４】
請求項４または８に記載の発明は、前記ワイヤレス送電部が、電力を電波として送信する送電アンテナを有するとともに、前記ワイヤレス受電部が、前記送電アンテナから送られた電波を受信する受電アンテナを有することを特徴とする。
【００１５】
上記発明によれば、マイクロ波を利用した電波方式の非接触給電により、遠隔操作機器から本体装置に給電することができる。このため、電磁誘導方式の非接触給電により遠隔操作機器から本体装置に給電する場合に比べて、本体装置の遠隔から本体装置に対して容易に給電することができる。
【発明の効果】
【００１６】
本発明によれば、本体装置において消費される電力をより削減することが可能である。
【図面の簡単な説明】
【００１７】
【図１】本発明の一実施形態に係る電子機器である投写型映像表示装置の構成を示す構成図。
【図２】同実施形態の投写型映像表示装置について、本体装置の概略構成を示すブロック図。
【図３】同実施形態の投写型映像表示装置について、遠隔操作機器の概略構成を示すブロック図。
【図４】同実施形態の投写型映像表示装置について、本体装置が行う起動動作の流れを示すフローチャート。
【発明を実施するための形態】
【００１８】
以下、本発明の一実施形態について図面を参照しながら説明する。
図１に示すように、本発明の電子機器は、所定の動作を行う本体装置２と、本体装置２の動作を外部から操作する遠隔操作機器３とを備える投写型映像表示装置１である。本体装置２は、所定の動作として、光を投射して映像を表示する動作を行う。
【００１９】
本体装置２には、光を投射する投射レンズ１３が設けられている。本体装置２は、投射レンズ１３で映像の光を投射することにより、本体装置２に対向して設けられたスクリーンまたは壁等の映像表示面（不図示）に映像を表示する。本体装置２は、遠隔操作機器３による給電に基づいて映像の表示を開始する。
【００２０】
また、本体装置２には、本体装置２の遠隔から本体装置２の動作を操作するための操作信号受信部３１が設けられている。操作信号受信部３１は、本体装置２の外部から無線により送信されてくる操作信号を受信する。本体装置２は、遠隔操作機器３から送信された操作信号に基づいて動作する。
【００２１】
本体装置２は、電源コード５を介して外部電源４に接続されている。本体装置２は、遠隔操作機器３による給電に基づいて映像の表示を開始した後に、遠隔操作機器３から供給される電力に代えて、外部電源４から供給される電力を用いて映像を表示する。
【００２２】
遠隔操作機器３には、投写型映像表示装置１のユーザにより操作される操作部８１が設けられている。操作部８１は、１つ以上のマンマシンインタフェースを有する。操作部８１は、マンマシンインタフェースとして、本体装置２を起動するための起動インタフェース８１Ａを少なくとも備える。本実施形態においては、操作部８１は、複数のマンマシンインタフェースとして複数の押しボタンスイッチを備え、起動インタフェース８１Ａは、押しボタンスイッチにより構成されている。
【００２３】
遠隔操作機器３は、起動インタフェース８１Ａが操作されたとき、即ち押しボタンスイッチである起動インタフェース８１Ａが押されたときに、本体装置２に給電を開始する。また、遠隔操作機器３は、起動インタフェース８１Ａ以外のマンマシンインタフェースが操作されたとき、操作されたマンマシンインタフェースに対応する操作信号を本体装置２に送信する。
【００２４】
図２を参照して、本体装置２の構成について説明する。
本体装置２は、光源部１１と、電気光学装置により構成される映像生成部１２と、投射レンズ１３と、本体装置２の外部から映像信号が入力される映像信号入力部２１と、映像信号に対して所定の信号処理を施す映像信号処理部２２とを備えている。
【００２５】
光源部１１は、例えば超高圧水銀ランプまたはメタルハライドランプ等の放電ランプにより構成される。本実施形態においては、映像生成部１２は、ドットマトリクス型の液晶パネル（図示略）を備える。映像生成部１２には、映像信号入力部２１から映像信号処理部２２を介して映像信号が入力され、映像信号に基づいて映像生成部１２の液晶パネルが駆動する。投射レンズ１３は、複数のレンズを組み合わせたレンズ群により構成される。本体装置２は、光源部１１が発した光を映像生成部１２の液晶パネルに入射させることにより映像信号に基づく映像を生成し、生成された映像の光を投射レンズ１３で投射する。
【００２６】
映像信号入力部２１は、例えば映像信号伝送用ケーブル（不図示）が接続される映像信号入力用の端子、または電波により送信された映像信号を受信する無線モジュールにより構成される。映像信号処理部２２は、映像生成部１２に入力される映像信号に対して、ＯＳＤ（On Screen Display）処理やスケーリング処理等の種々の信号処理を施す信号処理回路により構成されている。
【００２７】
また、本体装置２は、操作信号受信部３１と、光源部１１及び映像信号処理部２２等の本体装置２の各部を制御する制御部３２と、電源コード５を介して外部電源４に接続される保護回路４１と、リレー４２と、本体装置２の外部から供給される電力を本体装置２の各部に供給する主電源部４３とを備えている。
【００２８】
操作信号受信部３１は、フォトダイオードを含む赤外線受光モジュールにより構成される。操作信号受信部３１は、赤外線を受光することにより、遠隔操作機器３から送信された操作信号を受信する。
【００２９】
制御部３２は、１つまたは複数の集積回路により構成される。制御部３２は、操作信号受信部３１で受信した操作信号に含まれるリモコンコードに基づいて、映像信号処理部２２及び光源部１１等を制御する。また、制御部３２は、主電源部４３を制御して、本体装置２の各部への電力供給の開始及び停止を制御する。
【００３０】
保護回路４１は、リレー４２及び主電源部４３の過負荷を抑制するための回路であって、ヒューズ及びバリスタにより構成されている。保護回路４１は、外部電源４からの過電流または過電圧の入力に対して、リレー４２及び主電源部４３を保護する。
【００３１】
リレー４２は、電力の供給を受けて保護回路４１と主電源部４３とを電気的に接続する。また、リレー４２は、電力の供給を受けないときには保護回路４１と主電源部４３との電気的な接続を遮断する。即ち、リレー４２は、保護回路４１と主電源部４３とを接続する回路の開閉を行う。本実施形態においては、リレー４２は電磁リレーにより構成されている。
【００３２】
主電源部４３は、外部電源４から電力の供給を受けたとき、外部電源４から入力される電力を本体装置２の各部に適した電力に変換して、光源部１１、映像生成部１２、映像信号処理部２２、制御部３２に電力を供給する。また、主電源部４３は、ダイオード７１を介してリレー４２に電力を供給する。
【００３３】
また、本体装置２は、ワイヤレスで受電するワイヤレス受電部５０と、本体装置２が起動動作を行うときにリレー４２に電力を供給する起動電源部６０と、起動電源部６０から主電源部４３へ電流が流れることを防止するダイオード７１とを備えている。
【００３４】
ワイヤレス受電部５０は、非接触給電により遠隔操作機器３から受電する。本実施形態においては、ワイヤレス受電部５０は、電波を受信する受電アンテナ５１を備え、電波方式の非接触給電により受電する。受電アンテナ５１は、マイクロ波を受信する。
【００３５】
起動電源部６０は、本体装置２が行う起動動作において、リレー４２に電力を供給する。起動電源部６０は、整流平滑回路６１と、蓄電部６２と、スイッチ制御部６３と、スイッチ６４と、リレー電源部６５と、ダイオード６６とを備える。
【００３６】
整流平滑回路６１は、ワイヤレス受電部５０から出力された電流を整流及び平滑化して蓄電部６２に出力する。従って、蓄電部６２には、ワイヤレス受電部５０で受けた電力が整流平滑回路６１を介して入力される。蓄電部６２は、コンデンサを含む蓄電回路により構成されている。蓄電部６２は、ワイヤレス受電部５０で受電した電力を蓄電する。
【００３７】
スイッチ制御部６３は、蓄電部６２から電力の供給を受けて、スイッチ６４を制御する。スイッチ６４は、スイッチ制御部６３の制御に基づいて、蓄電部６２とリレー電源部６５とを接続する回路の開閉を行う。スイッチ制御部６３は、リレー４２を作動させるために必要とされる電力が蓄電部６２に蓄電されたときに、スイッチ６４を作動させる。即ち、スイッチ６４は、蓄電部６２とリレー電源部６５とを電気的に接続して、所定の電力が蓄電部６２に蓄電されたときにリレー４２への給電を開始する。本実施形態においては、スイッチ６４は半導体リレーにより構成されている。
【００３８】
リレー電源部６５は、蓄電部６２から電力の供給を受けたとき、蓄電部６２から入力される電力をリレー４２に適した電力に変換して、ダイオード６６を介してリレー４２に電力を供給する。ダイオード６６は、主電源部４３から起動電源部６０へ電流が流れることを防止する。
【００３９】
以上のように構成された本体装置２は、外部電源４から供給される電力により動作する電力消費部として、光源部１１、映像生成部１２、映像信号処理部２２、制御部３２、及び主電源部４３を備えている。光源部１１は、光を発することにより電力を消費する。映像生成部１２は、映像を生成することにより電力を消費する。映像信号処理部２２は、映像信号に対する信号処理を実行することにより電力を消費する。制御部３２は、本体装置２の各部の制御処理を実行することにより電力を消費する。主電源部４３は、電力を変換することにより電力を消費する。
【００４０】
リレー４２は、外部電源４と主電源部４３との電気的な接続を遮断することにより、外部電源４から主電源部４３及び制御部３２等の電力消費部への給電を遮断する。そして、本体装置２が映像を表示するときに、リレー４２は、外部電源４と主電源部４３及び制御部３２等の電力消費部とを電気的に接続する。こうして、リレー４２は、外部電源４から電力消費部への電力供給を制御する。
【００４１】
また、主電源部４３は、リレー４２による外部電源４と主電源部４３及び制御部３２等の電力消費部との電気的接続を維持するために、起動電源部６０からリレー４２に給電される電力量が低下したときに、起動電源部６０に代わってリレー４２に電力を供給する。本体装置２が映像の表示を停止するとき、制御部３２が主電源部４３を制御して、主電源部４３からリレー４２への給電を停止させることにより、リレー４２は、外部電源４と主電源部４３との電気的な接続を遮断する。
【００４２】
図３を参照して、遠隔操作機器３の構成について説明する。
遠隔操作機器３は、図１で示した操作部８１と、遠隔操作機器３の各部を制御する制御部８２と、操作信号を送信する操作信号送信部８３と、外部電源４と異なる電源である電池８４と、ワイヤレスで送電するワイヤレス送電部９０とを備えている。
【００４３】
制御部８２は、１つまたは複数の集積回路により構成される。制御部８２は、ユーザにより起動インタフェース８１Ａ（図１参照）が操作されたときには、ワイヤレス送電部９０に送電させる。また、操作部８０における他のマンマシンインタフェースが操作されたときには、操作されたマンマシンインタフェースに対応するリモコンコードを含んだ操作信号を操作信号送信部８３に送信させる。
【００４４】
操作信号送信部８３は、発光ダイオードを含む赤外線発光モジュールにより構成される。操作信号送信部８３は、赤外線を発光することにより、所定のリモコンコードを含む操作信号を送信する。
【００４５】
電池８４は、乾電池等の化学電池により構成される。電池８４は、制御部８２及びワイヤレス送電部９０に電力を供給する。電池８４は、非接触給電により本体装置２のリレー４２を動作させる電力を少なくとも有する。
【００４６】
ワイヤレス送電部９０は、非接触給電により本体装置２に送電する。本実施形態においては、ワイヤレス送電部９０は、電力を電波として送信する送電アンテナ９１を備え、電波方式の非接触給電により送電する。送電アンテナ９１は、マイクロ波を送信する。
【００４７】
以上のように構成された投写型映像表示装置１において、本体装置２のワイヤレス受電部５０は、送電アンテナ９１から送られた電波を受電アンテナ５１で受信することにより、遠隔操作機器３のワイヤレス送電部９０から送られた電力を受電する。そして、本体装置２は、遠隔操作機器３からのワイヤレスによる給電に基づいて映像の表示を開始する。
【００４８】
図４を参照して、映像の表示開始時における本体装置２の起動動作の流れを説明する。図４に示す一連の流れは、遠隔操作機器３がワイヤレス送電部９０で送電を行って、本体装置２がワイヤレス受電部５０で受電することにより開始される。
【００４９】
まず、本体装置２は、ワイヤレス受電部５０で受電した電力を蓄電部６２に入力することにより、ワイヤレス受電部５０から蓄電部６２に蓄電する（ステップＳ１）。
次いで、外部電源４と主電源部４３等の電力消費部とを電気的に接続するためにリレー４２に必要とされる電力が蓄電部６２に蓄電されたとき、スイッチ制御部６３がスイッチ６４を作動させて、本体装置２は、蓄電部６２からリレー電源部６５に電力供給を開始する（ステップＳ２）。
【００５０】
次いで、本体装置２は、リレー電源部６５からリレー４２に電力供給を開始する（ステップＳ３）。こうして、ワイヤレス受電部５０で受電した電力によりリレー４２が作動し、リレー４２が外部電源４と主電源部４３とを電気的に接続する。
【００５１】
そして、ワイヤレス受電部５０で受電した電力を用いて外部電源４と主電源部４３等の電力消費部とがステップＳ３において接続された後、本体装置２は、主電源部４３からリレー４２に電力供給を開始する（ステップＳ４）。こうして、リレー４２は、主電源部４３から供給される電力を用いて外部電源４と主電源部４３及び制御部３２等の電力消費部との電気的な接続を維持する。
【００５２】
本発明の作用について説明する。
本体装置２が映像を表示する時には、外部電源４から主電源部４３及び制御部３２等の電力消費部に電力が供給される。一方、本体装置２が映像を表示しない待機時には、リレー４２が外部電源４と主電源部４３との電気的な接続を遮断するため、外部電源４から主電源部４３及び制御部３２等の電力消費部に電力が供給されない。従って、外部電源４と電力消費部とを電気的に接続するまでリレー４２が待機している待機時においては、主電源部４３及び制御部３２等の電力消費部で電力が消費されない。
【００５３】
本実施形態の電子機器である投写型映像表示装置１は以下の効果を奏する。
（１）遠隔操作機器３は、ワイヤレスで送電するワイヤレス送電部９０を有するとともに、本体装置２は、ワイヤレス送電部９０から送られた電力を受電するワイヤレス受電部５０を有する。また、本体装置２は、外部電源４から主電源部４３及び制御部３２等の電力消費部への電力供給を制御するリレー４２を備え、リレー４２が、ワイヤレス受電部５０で受電した電力を用いて、外部電源４と主電源部４３及び制御部３２等の電力消費部とを電気的に接続する。このような構成によれば、外部電源４から電力消費部への電力供給はリレー４２により制御されるため、リレー４２が外部電源４と電力消費部との電気的な接続を遮断することにより、電力消費部において消費される電力は削減される。よって、外部電源４と電力消費部との間にリレー４２が設けられていない場合に比べて、本体装置２で消費される電力を削減することが可能である。また、外部電源４と電力消費部とを電気的に接続するためにリレー４２に必要とされる電力は、遠隔操作機器３のワイヤレス送電部９０から送られた電力が利用される。このため、外部電源４からリレー４２に給電する構成と比較して、外部電源４と電力消費部とを電気的に接続するまでリレー４２が待機している待機時において、本体装置２で消費される電力を削減することが可能である。よって、電源コード５を介して外部電源４に接続される本体装置２において消費される電力をより削減することが可能である。
【００５４】
（２）本体装置２は、リレー４２により外部電源４と電気的に接続される主電源部４３を備える。リレー４２は、ワイヤレス受電部５０で受電した電力を用いて外部電源４と主電源部４３及び制御部３２等の電力消費部とを電気的に接続した後に、主電源部４３から供給される電力を用いて外部電源４と主電源部４３及び制御部３２等の電力消費部との電気的な接続を維持する。このような構成によれば、ワイヤレス受電部５０で受電した電力に代えて、本体装置２が備える主電源部４３から供給される電力を利用して、外部電源４と電力消費部との電気的な接続が維持される。このため、遠隔操作機器３からの給電が停止した場合であっても、外部電源４と電力消費部との電気的な接続を維持することができる。また、主電源部４３は、リレー４２により外部電源４と電気的に接続されるため、外部電源４と電力消費部とを電気的に接続するまでリレー４２が待機している待機時において、主電源部４３で電力が消費されない。
【００５５】
（３）本体装置２は、ワイヤレス受電部５０で受電した電力を蓄電する蓄電部６２と、所定の電力が蓄電部６２に蓄電されたときにリレー４２への給電を開始するスイッチ６４とを備える。このような構成によれば、蓄電部６２に、外部電源４と電力消費部とを電気的に接続するためにリレー４２に必要とされる電力が蓄電された後に、蓄電部６２からリレー４２に給電を開始することができる。このため、所定時間当たりに遠隔操作機器３から給電される電力量が小さい場合であっても、遠隔操作機器３のワイヤレス送電部９０から送られた電力を利用して、外部電源４と電力消費部とをリレーにより電気的に接続することができる。
【００５６】
（４）ワイヤレス送電部９０は、電力を電波として送信する送電アンテナ９１を有するとともに、ワイヤレス受電部５０は、送電アンテナ９１から送られた電波を受信する受電アンテナ５１を有する。このような構成によれば、マイクロ波を利用した電波方式の非接触給電により、遠隔操作機器３から本体装置２に給電することができる。このため、電磁誘導方式の非接触給電により遠隔操作機器３から本体装置２に給電する場合に比べて、本体装置２の遠隔から本体装置２に対して容易に給電することができる。
【００５７】
なお、本発明は、上記実施形態に限られず、本発明の趣旨に基づいて種々の設計変更を行うことが可能であって、それらを本発明の範囲から除外するものではない。例えば、上記実施形態を以下のように変更してもよく、以下の変更を組み合わせて実施してもよい。
【００５８】
・上記実施形態の起動インタフェース８１Ａは、押しボタンスイッチにより構成されているが、その他のマンマシンインタフェースにより構成することもできる。また、起動インタフェース８１Ａ以外のマンマシンインタフェースについても、その他のマンマシンインタフェースにより構成することができる。例えば、操作部８０は、マンマシンインタフェースとして、スライドスイッチまたはタッチパネルを備えていてもよい。
【００５９】
・上記実施形態の投写型映像表示装置１においては、赤外線により遠隔操作機器３から本体装置２に操作信号が送信される構成であるが、他の手段により遠隔操作機器３から本体装置２に操作信号の送信を行うこともできる。即ち、例えば、電波により遠隔操作機器３から本体装置２に操作信号が送信されてもよい。
【００６０】
・上記実施形態のリレー４２は、電磁リレーにより構成されているが、その他のリレーにより構成することもできる。例えば、リレー４２を半導体リレーにより構成することもできる。
【００６１】
・上記実施形態のスイッチ６４は、半導体リレーにより構成されているが、その他のスイッチにより構成することもできる。例えば、スイッチ６４を電磁リレーにより構成することもできる。
【００６２】
・上記実施形態の本体装置２は、蓄電部６２を有するが、所定時間当たりに遠隔操作機器３から給電される電力量が大きい場合には、蓄電部６２、スイッチ制御部６３、及びスイッチ６４を省略することもできる。この場合、本体装置２は、起動動作において、ワイヤレス受電部５０からリレー電源部６５に電力を供給する。
【００６３】
・上記実施形態の投写型映像表示装置１においては、電波方式の非接触給電により遠隔操作機器３から本体装置２に給電が行われる構成であるが、他の方式の非接触給電により遠隔操作機器３から本体装置２に給電を行うこともできる。即ち、例えば、電磁誘導方式または磁気共鳴方式の非接触給電により遠隔操作機器３から本体装置２に給電が行われてもよい。
【００６４】
・上記実施形態の投写型映像表示装置において、映像生成部１２は液晶パネルを備え、液晶パネルに光を入射させることにより映像が生成されるが、その他の方法により映像を生成する投写型映像表示装置１に本発明を適用することもできる。例えば、映像生成部１２が、微小鏡を格子状に配列したＤＭＤ（Digital Micromirror Device）を備える構成を採用することもできる。ＤＭＤは映像信号に基づいて駆動する。映像生成部１２がＤＭＤを備える場合には、光源部１１が発した光をＤＭＤで反射させることによって、映像信号に基づいた映像が生成される。
【００６５】
・上記実施形態の電子機器は、光を投射して映像を表示する本体装置２を備える投写型映像表示装置１であるが、例えば放送信号を受信して映像を表示する映像表示装置等の他の電子機器に本発明を適用することもできる。
【符号の説明】
【００６６】
１…投写型映像表示装置（電子機器）、２…本体装置、３…遠隔操作機器、４…外部電源、５…電源コード、１１…光源部（電力消費部）、１２…映像生成部（電力消費部）、１３…投射レンズ、２１…映像信号入力部、２２…映像信号処理部（電力消費部）、３１…操作信号受信部、３２…制御部（電力消費部）、４１…保護回路、４２…リレー、４３…主電源部（電源部、電力消費部）、５０…ワイヤレス受電部、５１…受電アンテナ、６０…起動電源部、６１…整流平滑回路、６２…蓄電部、６３…スイッチ制御部、６４…スイッチ、６５…リレー電源部、６６…ダイオード、７１…ダイオード、８１…操作部、８１Ａ…起動インタフェース、８２…制御部、８３…操作信号送信部、８４…電池、９０…ワイヤレス送電部、９１…送電アンテナ。
【図１】
2013130828.tif 000003
【図２】
2013130828.tif 000004
【図３】
2013130828.tif 000005
【図４】
2013130828.tif 000006